(57)【要約】【課題】試験紙に採取したオイルの色調では定性的、感覚的にしかオイルの汚れを判定できない場合でも、定量的にオイルの汚れを判別できるオイル汚れ検査システム、その定量的に測定できる測定装置を提供する。【解決手段】台紙の開口部を覆う試験紙にオイルを採取してその色調よりオイルの汚れを目視判定するとともに、光源と光量検出器の間にそのオイルを採取した試験紙を挿入し、その透過光の減衰量によりオイルの汚れ度を定量的に測定し定量的に検査するオイル汚れ検査システム。そのオイル汚れ試験紙及び測定装置。【選択図】　図４
2004053537.tif 000002
【特許請求の範囲】
【請求項１】
オイルを試験紙上に採取してその色調より該オイルの汚れ度を目視により判定し検査することと、光源と上記試験紙を挿脱自在の挿入部と光量を検出し表示する光量検出表示部を有するオイル汚れ度測定装置において該挿入部に挿入した該オイルを採取した後の試験紙について該光源からの透過光の光量を該光量検出表示部により検出しその検出値に基づいて上記オイルの汚れ度合として定量的に表示しオイルの汚れ度を定量的に検査することとを行なうオイルの汚れ度検査システム。
【請求項２】
台紙に透光可能部分を形成して該透光可能部分を覆って濾紙からなる試験紙を添付し、該台紙にはオイルの汚れ度合を段階的にその度合に応じた標準色の検査色票で表示したオイル汚れ検査試験紙を設け、該オイル汚れ検査試験紙を用いてオイルを上記試験紙上に採取してその色調より該オイルの汚れ度を目視により判定し検査することと、光源と上記試験紙を挿脱自在の挿入部と光量を検出し表示する検出表示部を有するオイル汚れ度測定装置において該挿入部に上記のオイルを試験紙上に採取した後の上記オイル汚れ検査試験紙を挿入して該オイルを採取した試験紙について該光源からの透過光の光量を該光量検出表示部により検出しその検出値に基づいて上記オイルの汚れ度合として定量的に表示しオイルの汚れ度を定量的に検査することとを行なうオイルの汚れ度検査システム。
【請求項３】
請求項２に記載のオイル汚れ検査試験紙。
【請求項４】
台紙に透光可能部分を形成して該透光可能部分を覆って濾紙からなる試験紙を添付することは該台紙に該試験紙の挿脱自在部を設けて該試験紙を取替え自在にした請求項２に記載のオイル汚れ検査試験紙。
【請求項５】
光源と試験紙を挿脱自在の挿入部と光量を検出し表示する検出表示部を有するオイル汚れ度測定装置において、該挿入部に挿入したオイルを採取した後の試験紙について該光源からの透過光の光量を該検出表示部により検出しその検出値に基づいて上記オイルの汚れ度合として定量的に表示するオイルの汚れ度測定装置。
【請求項６】
請求項３又は４に記載のオイル汚れ検査試験紙を挿入部に挿入して使用できる請求項５に記載のオイルの汚れ度測定装置。
【請求項７】
携帯可能に形成された請求項５又は６に記載のオイルの汚れ度測定装置。
【請求項８】
光源は赤外線領域以上の波長を有する光を発する請求項１又は２に記載のオイルの汚れ度検査システム。
【請求項９】
光源は赤外線領域以上の波長を有する光を発する請求項５ないし７のいずれかに記載のオイルの汚れ度測定装置。
【発明の詳細な説明】
【０００１】
【産業上の利用分野】
本発明は、例えば自動車のエンジン用潤滑油の汚れ度合をチェックするオイルの汚れ度測定システム、オイル汚れ検査試験紙及びオイル汚れ測定装置に関する。
【０００２】
【従来の技術】
自動車等の車両、船舶、各種機械等の各分野には、潤滑油が用いられている。例えば自動車ではエンジンのシリンダとピストンの間の摩擦を軽減するために、オイルタンクからパイプを通して潤滑油を供給しながら、その使用後のものはパイプを通して途中濾過させた後にオイルタンクに戻し、潤滑油を循環して使用している。このように循環して使用される潤滑油は濾過を行っているとはいうものの、使用する時間が長くなるにつれて、シリンダとピストンの磨耗物等の混入により汚れが増してゆくのみならず、減量する。この減量分を補足するために、オイルタンク内の潤滑油に金属製の計量棒を侵入させて引上げ、どの水準まで潤滑油で濡れているかにより、タンク内の現在の存在量を知ることができるが、これと同時に計量棒に付着した潤滑油や、あるいは潤滑油の一部を濾紙上に採取し、その色のつき具合により汚れの程度を目視により判別している。
汚れの程度が大きく、潤滑油としての機能を十分に果たせない場合には、オイルを交換する必要があるので、この点からオイルの汚れががどの段階にあるかを知ることは重要である。
【０００３】
【発明が解決しようとする課題】
しかしながら、上記の方法はあくまで目視による定性的な評価法であり、素人ではいうまでもなく、慣れた人でも、その汚れがあるレベルを越えるとその違いを判別することは実質的には不可能である。
本発明の第１の目的は、試験紙に採取したオイルの色調によりオイルの汚れ度合を肉眼で定性的、感覚的に判別したときには同じにしか見えない場合でも、定量的に判別できるようにしたオイルの汚れ度検査システム、オイル汚れ検査試験紙及びオイル汚れ測定装置を提供するものである。
本発明の第２の目的は、携帯していつ、何処でも、誰もが簡単に使用できるオイル汚れ検査試験紙及びオイル汚れ測定装置を提供するものである。
【０００４】
【課題を解決するための手段】
本発明は、上記課題を解決するために、（１）、オイルを試験紙上に採取してその色調より該オイルの汚れ度を目視により判定し検査することと、光源と上記試験紙を挿脱自在の挿入部と光量を検出し表示する光量検出表示部を有するオイル汚れ度測定装置において該挿入部に挿入した該オイルを採取した後の試験紙について該光源からの透過光の光量を該光量検出表示部により検出しその検出値に基づいて上記オイルの汚れ度合として定量的に表示しオイルの汚れ度を定量的に検査することとを行なうオイルの汚れ度検査システムを提供するものである。
また、本発明は、（２）、台紙に透光可能部分を形成して該透光可能部分を覆って濾紙からなる試験紙を添付し、該台紙にはオイルの汚れ度合を段階的にその度合に応じた標準色の検査色票で表示したオイル汚れ検査試験紙を設け、該オイル汚れ検査試験紙を用いてオイルを上記試験紙上に採取してその色調より該オイルの汚れ度を目視により判定し検査することと、光源と上記試験紙を挿脱自在の挿入部と光量を検出し表示する検出表示部を有するオイル汚れ度測定装置において該挿入部に上記のオイルを試験紙上に採取した後の上記オイル汚れ検査試験紙を挿入して該オイルを採取した試験紙について該光源からの透過光の光量を該光量検出表示部により検出しその検出値に基づいて上記オイルの汚れ度合として定量的に表示しオイルの汚れ度を定量的に検査することとを行なうオイルの汚れ度検査システム、（３）、上記（２）のオイル汚れ検査試験紙、（４）、台紙に透光可能部分を形成して該透光可能部分を覆って濾紙からなる試験紙を添付することは該台紙に該試験紙の挿脱自在部を設けて該試験紙を取替え自在にした上記（２）のオイル汚れ検査試験紙、（５）、光源と試験紙を挿脱自在の挿入部と光量を検出し表示する検出表示部を有するオイル汚れ度測定装置において、該挿入部に挿入したオイルを採取した後の試験紙について該光源からの透過光の光量を該検出表示部により検出しその検出値に基づいて上記オイルの汚れ度合として定量的に表示するオイルの汚れ度測定装置、（６）、上記（３）又は（４）のオイル汚れ検査試験紙を挿入部に挿入して使用できる上記（５）のオイルの汚れ度測定装置、（７）、携帯可能に形成された上記（５）又は（６）のオイルの汚れ度測定装置、（８）、光源は赤外線領域以上の波長を有する光を発する上記（１）又は（２）のオイルの汚れ度検査システム、（９）、光源は赤外線領域以上の波長を有する光を発する上記（５）ないし（７）のいずれかのオイルの汚れ度測定装置を提供するものである。
【０００５】
【発明の実施の形態】
図１に示すように、１はオイル汚れ検査試験紙であり、例えば横５０ｍｍ、縦１５０ｍｍの厚紙の台紙２の上部に「オイル汚れ検査試験紙」等の題字３が記載され、ほぼ中段にはオイルの汚れ度合をその度合に応じて複数、例えば５段階の標準色（汚れに応じて薄肌色、肌色、茶色、焦げ茶色、黒色）を印刷した色票４が表示され、その各段階の標準色の上には「良好」（薄肌色）、「正常」（肌色）、「やや汚れている」（茶色）、「汚れている」（焦げ茶色）、「かなり汚れている」（黒色）のように印刷したメッセージ表示部４ａが設けられている。
また、オイル汚れ検査試験紙１の下段には透光可能部分として開口部５ａ（透明材があっても良い）が設けられ、これを覆って濾紙からなる試験紙５が貼付されている。図５に示すように、台紙２’はアルミ板、樹脂板等であってもよく、開口部５ｂは細長穴（透明材が設けられてもよい）でもよく、円穴でもよく、その周囲に前側から差し入れ自在のガイド枠（一端側を開放した額縁状）５ｃを設け、これに試験紙５を挿脱自在にし、試験紙５を取り替えるだけで同じ台紙２’を何回も使用できるようにしてもよい。
図２、３に示すように、１０は携帯自在のオイルの汚れ度測定装置である。１１は片手で持てるブック状のケース（縦１５０ｍｍ、横９０ｍｍ、厚さ３０ｍｍ）であり、その表面側にはスイッチ１２と、オイルの汚れ度を液晶等により、例えば「汚れ度５０％、ＯＫ」、「汚れ度８０％、替え時です」等の数値表示する定量表示部１３が設けられている（汚れに応じて帯状の先端が順次延びていき、各段階で汚れ度合を数値表示するか、予め数値表示されたもとでその先端が延びるようにしたものでもよい）とともに、一側面には細長開口の試験紙挿入口１４が設けられ、上記オイル汚れ検査試験紙１が挿脱自在になっている。
また、ケース１１の内部には、図４に示すように、赤外線領域以上の波長の光を発する光源１５と、光量検出部１６とが設けられ、上記試験紙挿入口１４から挿入された上記オイル汚れ検査試験紙１の試験紙５が光源１５と光量検出部１６の間に位置し、光源１５からの透過光の光量が光量検出部１６で検出され、図示省略した演算装置等により演算されて、上記定量表示部１３に上記の数値表示をすることができるようになっている。
【０００６】
オイルの汚れ度をチェックするには、オイル汚れ検査試験紙１を用意しておき、例えば自動車のオイルタンクのレベルゲージによりそのタンク中のオイルを試験紙５に滴下して採取する。試験紙５は濾紙であるのでオイルは浸透するが、その浸透後の色調を上記色票４の５段階の標準色と比較し、その一番近いものを選択する。その選択された標準色の上のメッセージ表示部４ａの該当メッセージを読み取ることによりオイルの汚れ度合が視覚的に判別され、定性的、感覚的に評価される。
しかし、これは定性的な評価であり、各段階の標準色の同一色のうちでも定量的には汚れは相違している場合があり、特にオイルの汚れが著しい場合、例えば上記色票４の汚れの最も大きい「黒色」の場合には、その差は判別し難い。
そこで、次に、上記のオイル汚れ検査試験紙１をオイルの汚れ度測定装置１０のケース１１に設けた試験紙挿入口１４に挿入してから、スイッチ１２を押すと、光源１５からの光はオイルが浸透した試験紙５を透過して（赤外線の場合は濾紙に対する透過性がよいので好ましい）光量検出部１６に検出される。この間光は試料（オイルが浸透した試験紙）を透過するうちにその汚れの程度に応じて減衰し、光量が減る。その減衰後の光量を検出することにより、その検出された光量に基づいてその汚れの程度に対応した電気信号を発生させ、図示省略した演算装置等により演算が行われ、上記定量表示部１３に表示される。なお、予め、汚れの段階に応じた標準試料についてその透過前後の光量変化から汚れ度合いを数値化しておき、そのデータを演算装置等に入力しておき、チェックする試料における光量変化を標準試料の光量変化と対比して一致ないし近似する標準試料の数値を表示するようにすればよい。
【０００７】
上記は定量表示部１３は、ＬＥＤによる表示でもよく、ＬＥＤによる表示は、光電変換素子により光量を検出し、その検出信号を出力する検出器と、この検出信号に基づいて試料（オイルの浸透した試験紙）からオイルの汚れの程度を示す数値を演算する演算部と、その演算結果を表示信号として出力する出力部とを有し、その出力部からの表示信号により対応する汚れの段階のＬＥＤを発光させる。光は試料を透過するうちにその汚れの程度に応じて減衰し、光量が減る。その減衰後の光量を検出することにより、その汚れの程度に対応した電気信号を発生させ、これに基づいて対応する区分のＬＥＤを発光させる。
自動車用エンジンオイルの場合、未使用の汚れのないオイルの汚れを最も汚れが少ないものとし、例えば自動車を４万Ｋｍ走行させたのちのオイルを採取してその汚れ度合いを最も汚れたものとして、これらを含めて汚れの段階を複数、例えば１２段階に区分してもよく、各汚れ段階ごとに予め標準試料から光電変換値と各汚れ段階の表示を対応させておく。この光量検出表示装置は、入射光と試料液透過光の光量の差を検出し、これに基づいて対応する区分の表示を目視できるようにしてもよい。この場合も予め標準試料について求めておく。
【０００８】
【発明の効果】
本発明によれば、試験紙に採取したオイルの色調によりオイルの汚れ度合を肉眼で定性的、感覚的に判別しても同じにしか見えない場合でも、オイルの汚れを定量的に判別できるようにしたオイルの汚れ度測定システム、オイル汚れ検査試験紙及びオイル汚れ測定装置を提供することができる。
また、小型で、携帯していつ、何処でも、誰もが簡単に使用できるオイル汚れ検査試験紙及びオイル汚れ測定装置を提供することができる。
【図面の簡単な説明】
【図１】本発明の一実施例のオイル汚れ検査試験紙の平面図である。
【図２】本発明の一実施例のオイル汚れ測定装置の平面図である。
【図３】その一側の側面図である。
【図４】その使用状態の内部の説明図である。
【図５】本発明の他の実施例のオイル汚れ検査試験紙の一部の斜視図である。
【符合の簡単な説明】
１　オイル汚れ検査試験紙
２、２’台紙
４　色票
５ａ、５ｂ　開口部
５　試験紙
１３　定量表示部
１４　試験紙挿入口
１５　光源
１６　光量検出部
【図１】
2004053537.tif 000003
【図２】
2004053537.tif 000004
【図３】
2004053537.tif 000005
【図４】
2004053537.tif 000006
【図５】
2004053537.tif 000007